(57)【要約】【課題】フロンテジャッキング工法、推進工法いずれの工法においても、コンクリート函体を埋設する場合に、コンクリート函体の外周部の範囲のみを地盤改良すればよく、前方の切羽部の範囲は従来のような地盤改良を施さなくとも切羽の安定を図ることができ、施工性の向上を図れる。【解決手段】コンクリート函体の牽引または推進による地下構造物の構築方法において、コンクリート函体１前方の切羽地山を点在的に削孔し、この孔にグラウト材を注入して切羽を安定させる。【選択図】      図１
2005273376.tif 000002
【特許請求の範囲】
【請求項１】
コンクリート函体の牽引または推進による地下構造物の構築方法において、コンクリート函体前方の切羽地山を点在的に削孔し、この孔にグラウト材を注入して切羽を安定させることを特徴とする地下構造物構築方法における切羽安定方法。
【請求項２】
前記グラウト材が点在的に注入された削孔に合成樹脂製のチューブを挿入し、このチューブに形成したグラウトホールからグラウト材をチューブの周囲に充填することを特徴とする請求項１記載の地下構造物構築方法における切羽安定方法。
【請求項３】
前記点在的に削孔された孔に長尺ボルトを挿入することを特徴とする請求項１記載の地下構造物構築方法における切羽安定方法。
【請求項４】
前記チューブまたは長尺ボルト内にタイケーブルを挿入し、このタイケーブルで土留板を切羽面に固定することを特徴とした請求項１から請求項３のいずれかに記載の地下構造物構築方法における切羽安定方法。
【発明の詳細な説明】
【技術分野】
【０００１】
本発明は、フロンテジャッキング工法や推進工法などによりコンクリート函体を牽引または推進させて地中の所定位置に埋設する地下構造物構築方法における切羽安定方法に関するものである。
【背景技術】
【０００２】
例えば、営業中の線路下、生活・産業の連絡網となる道路下、また、河川・移設不可能な構築物等の下に、地下道や共同溝、水路等を構築する場合、上面の鉄道や道路交通、河川に影響を与えることはできない。このため、かかる場所に地下構造物を構築するには、通常の運行を確保しながら立体交差工事を施工する工法として、例えばフロンテジャッキング工法や推進工法が採用される。
【０００３】
フロンテジャッキング工法は、図６、図７に示すように例えば地下道となる地下構造物を構築するものとして地中に埋設しようとするプレキャストされた先端に刃口２を備えたコンクリート函体１を構築箇所の両側から引き寄せ合って所定の位置に引き込み埋設する工法で、一方の側の発進台３にセットした第１のコンクリート函体１に配設したセンターホールジャッキ４に取り付けた牽引ケーブル５の先端を、他方の側の発進台３にセットした第２のコンクリート函体１に取り付けた定着金具６に固定し、前記牽引ケーブル５で第１と第２のコンクリート函体１を相互に引き寄せあう。図中７は防護工であるパイプルーフを示す。
【０００４】
かかるフロンテジャッキング工法でコンクリート函体１を前進させる場合、特に地下水を有するような不安定な地盤での施工の際には、前方の地山の安定を図るため、従来は、コンクリート函体１の外周側の部分で、薬液注入などによる止水を目的とした地盤改良を行い、さらに切羽の部分でも安定を目的とした地盤改良を行っている。図中８は地盤改良範囲を示す。
【０００５】
また、推進工法は、図８、図９に示すように発進坑側に元押しジャッキを設置し、これで発進台３にセットしたコンクリート函体１を到達坑側に押し出すものであり、図中１０は反力壁、１１はストラット、１２はスペーサーを示し、コンクリート函体１を推進しようとする地中の上部にはフリクションカットプレート１３が配設される。図中１４は防護工である箱型ルーフ管を示す。
【０００６】
かかる推進工法においてもコンクリート函体１を推進する場合、フロンテジャッキング工法と同様にして前方の地山の安定を図るため、コンクリート函体１の外周側の部分で、薬液注入などによる止水を目的とした地盤改良を行い、さらに切羽１５の部分でも安定を目的とした地盤改良を行っている。図中８は地盤改良範囲を示す。
【０００７】
このように従来は前進させるコンクリート函体１の外周の止水を図る必要のある範囲と、切羽部との全範囲で地盤改良を行っていた。
【０００８】
前記従来技術は当業者間で一般的に行われているものであり、先行公知文献にかかるものではない。
【発明の開示】
【発明が解決しようとする課題】
【０００９】
前記方法ではフロンテジャッキング工法でも推進工法でも、コンクリート函体１の外周の止水を図る必要のある範囲と、切羽部との全範囲の広い範囲での地盤改良を行う必要があり、施工性がよくなかった。
【００１０】
本発明の目的は前記従来例の不都合を解消するものとして、フロンテジャッキング工法、推進工法いずれの工法においても、コンクリート函体を埋設する場合に、コンクリート函体の外周部の範囲のみを地盤改良すればよく、前方の切羽部の範囲は従来のような地盤改良を施さなくとも切羽の安定を図ることができ、施工性の向上を図れる地下構造物構築方法における切羽安定方法を提供することにある。
【課題を解決するための手段】
【００１１】
請求項１記載の発明は、コンクリート函体の牽引または推進による地下構造物の構築方法において、コンクリート函体前方の切羽地山を点在的に削孔し、この孔にグラウト材を注入して切羽を安定させることを要旨とするものである。
【００１２】
請求項１記載の本発明によれば、切羽部は点在的に削孔し、この削孔内にグラウト材を注入するだけでよいから、従来のように切羽部の全体に薬液注入する必要がなく、全体的に薬液を注入する部分はコンクリート函体の外周部だけでよいから施工性が向上する。
【００１３】
請求項２記載の発明は、グラウト材が点在的に注入された削孔に合成樹脂製のチューブを挿入し、このチューブに形成したグラウトホールからグラウト材をチューブの周囲に充填することを要旨とするものである。
【００１４】
請求項２記載の本発明によれば、削孔内にチューブを挿入することでグラウトが容易になるとともに、チューブを埋設することによりさらに切羽の安定を図ることができる。
【００１５】
請求項３記載の発明は、前記点在的に削孔された孔に長尺ボルトを挿入することを要旨とするものである。
【００１６】
請求項３記載の本発明によれば、削孔内に長尺ボルトを挿入することで切羽部に長尺ボルトが埋設されることになり、さらに切羽の安定を図ることができる。
【００１７】
請求項４記載の発明は、前記チューブまたは長尺ボルト内にタイケーブルを挿入し、このタイケーブルで土留板を切羽面に固定することを要旨とするものである。
【００１８】
請求項４記載の本発明によれば、切羽面に土留板を配設できるから、従来のように切羽部の全範囲に薬液を注入せずに、機械的方法で簡単に切羽部の安定を図ることができる。
【発明の効果】
【００１９】
本発明の地下構造物構築方法における切羽安定方法は、フロンテジャッキング工法、推進工法いずれの工法においても、コンクリート函体を埋設する場合に、コンクリート函体の外周部の範囲のみを薬液注入などにより地盤改良すればよく、前方の切羽部の範囲は従来のような地盤改良を施さなくとも簡単に切羽の安定を図ることができ、施工性の向上を図れるものである。
【発明を実施するための最良の形態】
【００２０】
以下、図面について本発明の実施の形態を詳細に説明する。図１は本発明の地下構造物構築方法における切羽安定方法の第１実施形態を示すフロンテジャッキング工法における切羽安定方法の正面図、図２は同上縦断側面図で、図中、図６、図７に示した従来例と同一の構成要素には同一の参照符号を付してあり、フロンテジャッキング工法の全体説明は従来と同様であるからここでの詳細な説明は省略する。
【００２１】
本発明の第１実施形態は、フロンテジャッキング工法でコンクリート函体１を引き寄せて埋設する場合に、切羽の安定を図る方法として、コンクリート函体１の前方の切羽の部分を点在的に削孔し、この削孔内に合成樹脂製のチューブを挿入してグラウト材を注入するものである。
【００２２】
チューブの挿入方法およびグラウト材の注入方法は、例えば図１０（ａ）に示すようにチューブ（先頭管）１７の内部にビットアダプターを先端に取り付けたロッド１８を挿入し、チューブ１７の先端にリングビット１９を取り付けて、削孔を開始し、図１０（ｂ）（ｃ）のようにチューブ１７およびロッド１８を継ぎ足して削孔打設する。
【００２３】
所定位置まで削孔打設したならば、図１０（ｄ）のようにロッド１８とビットアダプター２０と回収して、チューブ１７の打設が完了する（図１０（ｅ）参照）から、チューブ１７内にセメントミルク、セメントモルタルなどのグラウト材を注入して削孔内およびチューブ１７内に充填させる。
【００２４】
かかる削孔は図１に示すように点在的に行い、この箇所にのみグラウト材を注入することで切羽安定を図るものであり、よって、地盤改良範囲８はコンクリート函体１の外周部のみに限定して行えばすむ。
【００２５】
前記チューブ１７は、これに代えて図５に示すような長尺ボルト２１とすることもでき、この場合、長尺ボルト２１の周囲の適宜位置に複数のグラウトホール２２を形成しておき、このグラウトホール２２からグラウト材２３を削孔内に充填することもできる。
【００２６】
図３、図４は第２実施形態を示し、推進工法でコンクリート函体１を推進する場合で、推進工法の基本構成は図８、図９の従来例について説明したとおりであるから、ここでの詳細な説明は省略する。この第２実施形態では、切羽１５から到達坑側に向けて点在的に削孔した箇所に長尺ボルト２１（または図示は省略するが合成樹脂製のチューブ）を挿入し、前記したフロンテジャッキング工法の場合と同様の方法で削孔内にグラウト材２３を充填する。
【００２７】
さらに、図５に示した例では長尺ボルト２１の内部に鋼棒（タイケーブル）２４を挿入し、図４に示すようにこの鋼棒２４の先端を定着金具２５で到達坑側に固定し、他端を切羽１５面に引き出してここに配設した土留板２７を定着金具２６で固定する。
【００２８】
これにより、切羽部に長尺ボルト２１が点在的に挿入されるだけでなく、切羽１５の面に土留板２７が固定されるから、切羽１５を十分に安定させることができる。よって、従来のような地盤改良範囲８は図３に示すようにコンクリート函体１の外周部にのみ施工すれば足りる。
【図面の簡単な説明】
【００２９】
【図１】本発明の地下構造物構築方法における切羽安定方法の第１実施形態を示す正面図である。
【図２】本発明の地下構造物構築方法における切羽安定方法の第１実施形態を示す縦断側面図である。
【図３】本発明の地下構造物構築方法における切羽安定方法の第２実施形態を示す正面図である。
【図４】本発明の地下構造物構築方法における切羽安定方法の第２実施形態を示す縦断側面図である。
【図５】本発明の地下構造物構築方法における切羽安定方法の第２実施形態を示す要部の縦断側面図である。
【図６】従来の切羽安定方法の第１例を示す正面図である。
【図７】従来の切羽安定方法の第１例を示す縦断側面図である。
【図８】従来の切羽安定方法の第２例を示す正面図である。
【図９】従来の切羽安定方法の第２例を示す縦断側面図である。
【図１０】グラウト材注入のための削孔工程図である。
【符号の説明】
【００３０】
１…コンクリート函体            ２…刃口
３…発進台                      ４…センターホールジャッキ
５…牽引ケーブル                ６…定着金具
７…パイプルーフ                ８…地盤改良範囲
９…元押しジャッキ              １０…反力壁
１１…ストラット                １２…スペーサー
１３…フリクションカットプレート
１４…箱型ルーフ管              １５…切羽
１７…チューブ                  １８…ロッド
１９…リングビット              ２０…ビットアダプター
２１…長尺ボルト                ２２…グラウトホール
２３…グラウト材                ２４…鋼棒
２５…定着金具                  ２６…定着金具
２７…山留板
【図１】
2005273376.tif 000003
【図２】
2005273376.tif 000004
【図３】
2005273376.tif 000005
【図４】
2005273376.tif 000006
【図５】
2005273376.tif 000007
【図６】
2005273376.tif 000008
【図７】
2005273376.tif 000009
【図８】
2005273376.tif 000010
【図９】
2005273376.tif 000011
【図１０】
2005273376.tif 000012